(57)【要約】【課題】載せかえ作業を軽減することができる寝台装置及び搬送器材を提供する。【解決手段】被検体Ｐが載置される寝台１０と、寝台１０上に可動自在に設けられ、被検体Ｐを搬送するための搬送器材１２０と着脱自在に結合する結合体２０とを備え、一端部が結合体２０に結合された被検体Ｐが載置される搬送器材１２０の担架部１３０の他端部の回転移動により被検体Ｐが寝台１０上に載置される。【選択図】  図３
2011143020.tif 000002
【特許請求の範囲】
【請求項１】
医用情報を収集する被検体を移動する寝台装置において、
前記被検体が載置される寝台と、
前記寝台上に可動自在に設けられ、前記被検体を搬送するための搬送器材と着脱自在に結合する結合体とを
備えたことを特徴とする寝台装置。
【請求項２】
前記結合体は、前記寝台上を回転自在に支持され、
前記搬送器材は、一端部が前記結合体に結合された状態における他端部の回転移動により前記結合体が回転して前記寝台上に載置されることを特徴とする請求項１に記載の寝台装置。
【請求項３】
前記結合体は、前記寝台上を長手方向へスライド自在に支持され、
前記搬送器材は、一端部が前記結合体に結合された状態における他端部の前記長手方向への移動により前記結合体がスライドして前記寝台上に載置されることを特徴とする請求項１に記載の寝台装置。
【請求項４】
前記結合体に結合された前記搬送器材を検出する検出手段と、
前記検出手段により検出された検出信号に基づいて、前記寝台上に載せかえられる前記被検体に通知するメッセージを出力する出力手段とを
備えたことを特徴とする請求項１乃至請求項３にいずれかに記載の寝台装置。
【請求項５】
前記搬送器材の高さを検出する位置検出手段、及び前記寝台を上下方向に移動する移動手段を有し、
前記移動手段は、前記寝台を前記位置検出手段により検出された前記搬送器材と同じ高さで停止するようにしたことを特徴とする請求項１乃至請求項４のいずれかに記載の寝台装置。
【請求項６】
搬送する被検体が載置される担架部と、
前記担架部を移動可能に支持する台車部と、
前記台車部上に可動自在に設けられ、前記担架部と着脱自在に結合する結合体とを
備えたことを特徴とする搬送器材。
【発明の詳細な説明】
【技術分野】
【０００１】
本発明は、画像診断を行う被検体が載置される寝台装置及び搬送器材に関する。
【背景技術】
【０００２】
被検体の撮影により画像データ等の医用情報を収集して画像診断を行う画像診断装置には、Ｘ線診断装置、Ｘ線ＣＴ装置、ＭＲＩ装置、ＰＥＴ装置等がある。この画像診断装置は、撮影を行うための撮影部を備え、臥した被検体を撮影部に送り込んで撮影が行われる。そして、撮影部への被検体の移動は、寝台装置を用いて行われる。
【０００３】
ところで、病気や怪我で身動きできない被検体の撮影を行う場合、その被検体を寝台装置まで搬送することができるメインストレッチャ、スクープストレッチャ、バックボード、布担架等の搬送器材が知られている（例えば、特許文献１参照。）。
【０００４】
そして、例えば交通事故等で身動きできない被検体を搬送する場合、その被検体をスクープストレッチャやバックボードを用いてメインストレッチャに載せる。そして、被検体をメインストレッチャで寝台装置近傍まで移動した後、メインストレチャから寝台装置へ載せかえる。また、病室のベッド上に臥した身動きできない被検体を搬送する場合、その被検体をベッドに敷かれたシーツや布担架等を用いてベッドからメインストレッチャに載せかえる。そして、被検体をメインストレッチャで寝台装置近傍まで移動した後、メインストレチャから寝台装置へ載せかえる。
【先行技術文献】
【特許文献】
【０００５】
【特許文献１】特開２００５−１０２８７７号公報
【発明の概要】
【発明が解決しようとする課題】
【０００６】
しかしながら、身動きできない被検体を一方から他方に載せかえるとき、安全に載せかえる必要があるため、多数の作業者を必要とし、作業に手間がかかる問題がある。
【０００７】
本発明は、上記問題点を解決するためになされたもので、載せかえ作業を軽減することができる寝台装置及び搬送器材を提供することを目的とする。
【課題を解決するための手段】
【０００８】
上記問題を解決するために、請求項１に係る本発明の寝台装置は、被検体が載置される寝台と、前記寝台上に可動自在に設けられ、前記被検体を搬送するための搬送器材と着脱自在に結合する結合体とを備えたことを特徴とする。
【０００９】
また、請求項６に係る本発明の搬送器材は、搬送する被検体が載置される担架部と、前記担架部を移動可能に支持する台車部と、前記台車部上に可動自在に設けられ、前記担架部と着脱自在に結合する結合体とを備えたことを特徴とする。
【発明の効果】
【００１０】
本発明によれば、被検体を一方から他方に載せかえる場合、その被検体が載置された器材と着脱自在に結合する結合体を他方に可動自在に設けることにより、載せかえ作業を軽減することができる。
【図面の簡単な説明】
【００１１】
【図１】本発明の実施例１に係る寝台装置の構成を示すブロック図。
【図２】本発明の実施例１に係る寝台及び結合体の構成の一例を示す断面図。
【図３】本発明の実施例１に係る被検体Ｐの載せかえ作業の一例を示す平面図。
【図４】本発明の実施例１に係る載せかえ作業に応じた結合体の動作を示す断面図。
【図５】本発明の実施例１に係る寝台及び結合体の構成の他の例を示す図。
【図６】本発明の実施例１に係る被検体Ｐの載せかえ作業の他の例を示す平面図。
【図７】本発明の実施例１に係る被検体Ｐの載せかえ作業の他の例を示す平面図。
【図８】本発明の実施例２に係る搬送器材の構成を示す側面図。
【図９】本発明の実施例２に係る被検体Ｐの載せかえ作業の一例を示す平面図。
【発明を実施するための形態】
【００１２】
以下、本発明の実施例を説明する。
【実施例１】
【００１３】
以下、本発明による寝台装置の実施例１を、図１乃至図７を参照して説明する。
【００１４】
図１は、本発明の実施例１に係る寝台装置の構成を示したブロック図である。この寝台装置１００は、画像データ等の医用情報を収集する被検体Ｐを移動するために設けられ、画像診断装置１１０の近傍に配置された被検体Ｐが載置される寝台１０と、この寝台１０近傍へ被検体Ｐを搬送するための搬送器材１２０と着脱自在に結合する寝台１０上に可動自在に設けられた結合体２０と、寝台１０を上下方向に移動可能に支持する寝台支持台３０とを備えている。
【００１５】
また、寝台装置１００は、搬送器材１２０の高さを検出する位置検出器４０と、結合体２０に結合された搬送器材１２０を検出する結合検出器５０と、搬送器材１２０から寝台１０上に載せかえる被検体Ｐに通知するメッセージを表示する表示部６０と、寝台１０を上下移動する操作等を行う操作部７０と、寝台１０、寝台支持台３０、位置検出器４０、結合検出器５０、及び表示部６０を制御する制御部８０とを備えている。
【００１６】
寝台１０は、被検体Ｐが載置される天板１１、天板１１を移動可能に支持する寝台本体１２、及び天板１１を長手方向に移動する長手移動機構１３を備えている。そして、長手移動機構１３は、制御部８０の駆動制御により、被検体Ｐが載置された天板１１を長手方向の画像診断装置１１０の撮影が可能な位置へ移動する。
【００１７】
搬送器材１２０は、搬送する被検体Ｐが載置される担架部１３０、及びこの担架部１３０を上下移動可能に支持すると共に寝台１０近傍へ移動可能に支持する台車部１４０により構成される。そして、担架部１３０は、スクープストレッチャと同様に幅方向の中央を通る線で分割可能に結合された２つのユニットにより構成される。
【００１８】
図２は、寝台１０及び結合体２０の構成の一例を示した断面図である。寝台１０の天板１１上面の長手方向における一端部近傍に凹部が設けられている。また、結合体２０は、寝台１０上を矢印Ｒ方向に回転自在に天板１１に支持され、天板１１上の凹部に上面に対して垂直に遊嵌される回転軸２１及びこの回転軸２１に接合された円柱状の結合本体２２により構成される。
【００１９】
結合本体２２は、矢印Ｌ１方向から水平方向に円柱側面の一部を切削することにより設けられた搬送器材１２０における担架部１３０の例えば外枠を構成している管状フレームの一端部に係合する切欠き２３と、円柱上面と切欠き２３面間を上下方向に貫通する貫通孔に貫設された担架部１３０の一端部を切欠き２３に固定するためのピン２４と、貫通孔に配置されたピン２４を下方に押し付けるばね２５とにより構成される。
【００２０】
図１に示した寝台支持台３０内には、寝台１０を上下方向に移動する上下移動機構３１が配置される。この上下移動機構３１は、制御部８０の駆動制御により、被検体Ｐが載置された寝台１０を上下方向に移動する。
【００２１】
位置検出器４０は、搬送器材１２０の台車部１４０の上端部に配置された赤外線距離センサや超音波距離センサ等の距離センサ及びこの距離センサにより検出された検出信号を送信する送信機と、寝台支持台３０に配置された送信機から送信された検出信号を受信する受信機とを備えている。そして、床面とこの床面上に位置する台車部１４０の上端部間の距離を検出することにより、台車部１４０に支持された担架部１３０の床からの高さを検出し、検出した高さの情報を制御部８０に出力する。
【００２２】
結合検出器５０は、図２に示すように、結合体２０の結合本体２２における切欠き２３面に配置され、ピン２４により切欠き２３に固定された搬送器材１２０の担架部１３０一端部との接触により担架部１３０を検出し、その検出信号を制御部８０に出力する。
【００２３】
表示部６０は、液晶パネルなどのモニタを備え、担架部１３０が結合体２０に結合されたときの結合検出器５０からの検出信号に応じた制御部８０からの指示により、例えば「寝台に移しますので、動かないでください」等の被検体Ｐにメッセージを表示する。また、操作部７０は、ボタン、スイッチ等の入力デバイスを備え、寝台１０を上下移動させるための入力操作、天板１１を長手方向に移動させるための入力操作等を行う。
【００２４】
制御部８０は、ＣＰＵと記憶回路を備え、操作部７０からの操作により入力された入力信号に基づいて寝台１０、寝台支持台３０、位置検出器４０、結合検出器５０、及び表示部６０の制御やシステム全体の制御を行なう。
【００２５】
以下、図１乃至図４を参照して、被検体Ｐを搬送器材１２０から寝台装置１００に載せかえる作業及びこの作業による寝台装置１００の動作の一例を説明する。図３は、被検体Ｐの載せかえ作業の一例を示す平面図である。また、図４は、載せかえ作業に応じた結合体２０の動作を示す断面図である。
【００２６】
図３において、図３（ａ）は、寝台１０近傍に移動された搬送器材１２０上に載置される被検体Ｐを示した平面図である。  
搬送器材１２０の担架部１３０上に載置された身動きできない臥位の被検体Ｐが寝台１０近傍に搬送されると、位置検出器４０は搬送器材１２０における担架部１３０の高さを検出し、検出した高さ情報を制御部８０に出力する。制御部８０は、位置検出器４０からの高さ情報に基づいて、寝台支持台３０の上下移動機構３１を駆動制御する。そして、寝台１０を移動して、担架部１３０と同じ高さで停止させる。
【００２７】
このように、搬送器材１２０の寝台１０への接近により、寝台１０を移動して担架部１３０と同じ高さで停止させることができる。これにより、載せかえのために担架部１３０と寝台１０の高さを合わせる作業を削減することができる。
【００２８】
寝台１０が停止した後、寝台１０の長手方向に対して、例えば長手方向が垂直になる向きに搬送器材１２０を移動する。次いで、図４（ａ）に示すように、結合体２０を回転して、切欠き２３を搬送器材１２０の方向に向ける。
【００２９】
結合体２０を回転した後、担架部１３０をＬ１方向へ移動する。そして、図４（ｂ）に示すように、担架部１３０の一端部をピン２４の下端部近傍に形成された傾斜面に押し当てることにより、ピン２４が上方へ押し上げられる。更に担架部１３０をＬ１方向に推し進めることにより、図４（ｃ）に示すように、一端部が結合検出器５０に接触した位置で停止すると共に、押し上げられたピン２４がばね２５により下方へ押し下げられる。これにより、担架部１３０の一端部が結合体２０に結合される。
【００３０】
このように、担架部１３０を移動して一端部を結合体２０に結合することにより、担架部１３０の一端部を寝台１０に支持させることができる。
【００３１】
担架部１３０の一端部が結合体２０に結合されたとき、結合検出器５０は、担架部１３０を検出し、その検出信号を制御部８０に出力する。制御部８０では、結合検出器５０からの検出信号に基づいて、担架部１３０が結合体２０に結合されたことを認識し、搬送器材１２０から寝台１０上に載せかえる担架部１３０上の被検体Ｐに通知するメッセージを表示部６０に表示させる。
【００３２】
このように、担架部１３０の一端部が結合体２０に結合されたとき、表示部６０にメッセージを表示することにより、作業の内容を通知することができるため、載せかえが行われる被検体Ｐに安心感を与えることができる。また、被検体Ｐに注意を促すことができる。
【００３３】
図３（ｂ）は、寝台１０上に載せかえた担架部１３０上の被検体Ｐを示した平面図である。  
表示部６０にメッセージが表示された後、作業者が担架部１３０の他端部を持って、結合体２０を回転中心として矢印Ｒ１方向に回転移動することにより、結合体２０が回転して担架部１３０上の被検体Ｐを寝台１０上に載せかえる。被検体Ｐを載せかえた後、寝台１０から担架部１３０を２つに分割して被検体Ｐの両側から取り除く。そして、操作部７０からの入力操作により、上下移動機構３１及び長手移動機構１３が寝台１０及び天板１１を移動して、画像診断装置１１０で被検体Ｐの撮影が可能な位置で停止させる。
【００３４】
なお、担架部１３０を撮影に影響を与えない例えばカーボンファイバやプラスチック材で構成し、担架部１３０上の被検体Ｐを寝台１０上に載せかえた後、寝台１０に担架部１３０を残した状態で撮影を行うように実施してもよい。
【００３５】
このように、担架部１３０の他端部を回転移動して被検体Ｐを載せかえることにより、載せかえのために担架部１３０の一端部側を支持する作業を削減することが可能となり、載せかえ作業を軽減することができる。また、被検体Ｐに負担を強いることなく、載せかえ作業を行うことができる。
【００３６】
以上述べた本発明の実施例１によれば、搬送器材１２０が寝台１０へ接近したとき、被検体Ｐが載置された担架部１３０の高さを検出することにより、寝台１０を移動して担架部１３０と同じ高さで停止させることができる。これにより、担架部１３０と寝台１０の高さを合わせる作業を削減することができる。
【００３７】
また、担架部１３０の一端部が結合体２０に結合されたとき、担架部１３０を検出して、載せかえが行われる被検体Ｐに対してメッセージを表示することができる。これにより、作業の内容を通知することができるため、被検体Ｐに安心感を与えることができる。また、被検体Ｐに注意を促すことができる。
【００３８】
更に、担架部１３０の一端部を結合体２０に結合することにより、担架部１３０の一端部を回転自在に寝台１０に支持させることができる。そして、一端部が結合体２０に結合された状態の担架部１３０の他端部を回転移動することにより被検体Ｐを寝台１０上に載せかえることができる。これにより、載せかえのために担架部１３０の一端部側を支持する作業者を削減することが可能となり、載せかえ作業を軽減することができる。また、被検体Ｐに負担を強いることなく、載せかえ作業を行うことができる。
【００３９】
なお、本発明は上記実施例に限定されるものではなく、図５に示すように、例えば上面の長手方向に平行な２つの溝１４が形成された天板１１ａを有する寝台１０ａを設けると共に、溝１４に係合するスライド軸２１ａ及びこのスライド軸２１ａに接合される図２に示した結合本体２２により構成される長手方向にスライド自在に天板１１ａに支持される２つの結合体２０ａを設けるように実施してもよい。この場合、図６（ａ）に示すように、例えば下側に例えばローラを設けた外枠が長方形のフレームを有する担架部１３０ａを寝台１０ａから離間した位置から、寝台１０ａの長手方向における矢印Ｌ２方向へ移動して、担架部１３０ａの一端部が天板１１ａの一端部上に重なる位置で止める。次いで、結合体２０ａをＬ２方向とは反対方向である矢印Ｌ３方向へ移動して担架部１３０ａの一端部と結合させる。そして、図６（ｂ）に示すように、一端部が結合体２０に結合された状態の担架部１３０ａをＬ２方向に移動することにより、結合体２０ａがＬ２方向にスライドして担架部１３０ａ上の被検体Ｐを寝台１０ａ上に載せかえることができる。これにより、載せかえのために担架部１３０ａの一端部側を支持する作業を削減することが可能となり、載せかえ作業を軽減することができる。また、被検体Ｐに負担を強いることなく、載せかえ作業を行うことができる。
【００４０】
また、図７に示すように、搬送器材１２０ａの台車部１４０上に矢印方向に回転可能な回転体１４１を設けた搬送器材１２０ｂを用いて被検体Ｐを搬送するように実施してもよい。この場合、回転体１４１上に被検体Ｐが載置された担架部１３０ａを載せた搬送器材１２０ｂを、図６に示した寝台１０ａ近傍まで移動する。これにより、寝台１０ａ上に被検体Ｐを載せかえるとき、回転体１４１を回転することにより、搬送器材１２０ａの位置決めを行うときの寝台１０ａに対する搬送器材１２０ｂの配置の許容範囲を広くとることができるため、載せかえに関る作業を軽減することができる。
【実施例２】
【００４１】
以下、本発明による搬送器材の実施例２を、図８及び図９を参照して説明する。なお、実施例２を構成しているユニットの内、実施例１と同じユニットには同じ符号を付与し説明を省略又は簡略する。
【００４２】
図８（ａ）は、本発明の実施例２に係る搬送器材の構成を示した平面図である。この搬送器材２００は、搬送する被検体Ｐが載置される担架部２１０と、担架部２１０を移動可能に支持する台車部２２０と、台車部２２０上に可動自在に設けられ、担架部２１０と着脱自在に結合する結合体２０とを備えている。
【００４３】
担架部２１０は、被検体Ｐを保持する保持体２１１及びこの保持体２１１の縁辺を支持する管状のフレーム２１２により構成され、スクープストレッチャと同様に幅方向の中央を通る線２１３で２つに分割可能に結合されている。
【００４４】
図８（ｂ）は、台車部２２０の構成を示した側面図である。この台車部２２０は、上面の長手方向における一端部近傍に凹部が設けられた担架部２１０を支持する支持台２２１と、支持台２２１を上下方向に移動するための移動機構２２２と、移動機構２２２の下端部に配置された担架部２１０の移動を可能とするキャスタ２２３とを備えている。そして、支持台２２１上の凹部に結合体２０が着脱可能に設けられている。
【００４５】
以下、図８及び図９を参照して、被検体Ｐの撮影を行うために、搬送器材２００に載せかえる作業及びこの作業による搬送器材２００の動作の一例を説明する。
【００４６】
図９は、被検体Ｐの載せかえ作業の一例を示した図であり、図９（ａ）は被検体Ｐが載置された医療施設内のベッド３００近傍に移動された搬送器材２００を示し、図９（ｂ）は支持台２２１上に載せかえた担架部２１０上の被検体Ｐを示している。
【００４７】
図９（ａ）において、搬送器材２００をベッド３００近傍に移動して、ベッド３００の長手方向に対して、例えば長手方向が垂直になる向きに搬送器材２００を停止する。次いで、台車部２２０の移動機構２２２を操作して支持台２２１をベッド３００の高さに合わせる。
【００４８】
そして、結合体２０から取り外された担架部２１０を２つのユニットに分割してベッド３００に運び、結合体２０を回転して切欠き２３をベッド３００の方向に向けた後、ベッド３３上の被検体Ｐを両側から担架部２１０を分割した２つのユニットですくいあげて結合することにより、担架部２１０上に被検体Ｐが載置される。次いで、被検体Ｐが載置された担架部２１０を、一端部が結合体２０に結合されるまでＬ１方向へ移動する。
【００４９】
このように、担架部２１０を移動して一端部を結合体２０に結合することにより、担架部２１０の一端部を台車部２２０に支持させることができる。
【００５０】
図９（ｂ）において、作業者が担架部２１０の他端部を持って、結合体２０を回転中心として矢印Ｒ１方向に回転移動することにより、結合体２０が回転して担架部２１０上の被検体Ｐを台車部２２０の支持台２２１上に載せかえる。被検体Ｐを載せかえた後、撮影を行うために検査室へ移動される。
【００５１】
このように、担架部２１０の他端部を回転移動して被検体Ｐを載せかえることにより、載せかえのために担架部２１０の一端部側を支持する作業を削減することが可能となり、載せかえ作業を軽減することができる。また、被検体Ｐに負担を強いることなく、載せかえ作業を行うことができる。
【００５２】
以上述べた本発明の実施例２によれば、担架部２１０の一端部を結合体２０に結合することにより、担架部２１０の一端部を回転自在に台車部２２０に支持させることができる。そして、担架部２１０の他端部を回転移動することにより被検体Ｐを載せかえることができる。これにより、載せかえのために担架部２１０の一端部側を支持する作業を削減することが可能となり、載せかえ作業を軽減することができる。また、被検体Ｐに負担を強いることなく、載せかえ作業を行うことができる。
【符号の説明】
【００５３】
Ｐ  被検体
１０  寝台
１１  天板
２０  結合体
１２０  搬送器材
１３０  担架部
１４０  台車部
【図１】
2011143020.tif 000003
【図２】
2011143020.tif 000004
【図３】
2011143020.tif 000005
【図４】
2011143020.tif 000006
【図５】
2011143020.tif 000007
【図６】
2011143020.tif 000008
【図７】
2011143020.tif 000009
【図８】
2011143020.tif 000010
【図９】
2011143020.tif 000011